(57)【要約】弁（２０）、設置板（４２）、スナップ一体形アクチュエータ、及び設置ブラケット（４０）を具備する弁組立体。スナップ一体形アクチュエータが、一方のアクチュエータハウジング部材に取付けられかつ他方のアクチュエータハウジング部材のスリット内に挿入される１組のスナップウイング（７４）により組立てられる。次に、アクチュエータハウジング（３０）が弁および装着板にボルト止めされる。弁システムの所定位置に予め装着できる装着ブラケットにより装着板（４２）が受入れられる。装着ブラケットは、弁装着板を弁装着ブラケットに固定する保持クリップ（７２）およびスナップウイングを有している。【特許請求の範囲】
【請求項１】
第一アクチュエータハウジングと、
該第一アクチュエータハウジングと第二アクチュエータハウジングとの相互ロック組立体を形成するための、第一アクチュエータハウジングに関連する機構と、
付勢手段とを有することを特徴とする弁アクチュエータ組立体。
【請求項２】
前記相互ロック組立体を形成する機構が、２つ以上のスナップウイングと、該スナップウイングを受入れるべく配置された１組の対応スリットとを有することを特徴とする請求項１記載の弁アクチュエータ組立体。
【請求項３】
前記スナップウイングは、前記第二アクチュエータハウジングを貫通して第二アクチュエータハウジングの下面に対して固定するのに充分な長さを有していることを特徴とする請求項２記載の弁アクチュエータ組立体。
【請求項４】
前記スナップウイングは、前記第二アクチュエータハウジングの下面に対してスナップウイングを固定するためのタブを有していることを特徴とする請求項３記載の弁アクチュエータ組立体。
【請求項５】
前記１組のスナップウイングは、１８０°離れた２つのアクチュエータハウジング方向の位置決めができるように配置されかつサイズを有する４つのスナップウイングからなることを特徴とする請求項２記載の弁アクチュエータ組立体。
【請求項６】
前記４つのスナップウイングの組は、２つの異なるサイズ間で変化していることを特徴とする請求項２記載の弁アクチュエータ組立体。
【請求項７】
前記スナップウイングの組は３つのスナップウイングからなり、前記スナップウイングを受入れる前記手段は、スナップウイングを単一のアクチュエータハウジング方向に受入れるための１組の対応スリットを有していることを特徴とする請求項２記載の弁アクチュエータ組立体。
【請求項８】
前記スナップウイングは、前記第一アクチュエータハウジングと第二アクチュエータハウジングとを連結しかつ前記付勢手段により発生されるばね力に抗して両アクチュエータハウジングを保持することを特徴とする請求項１記載の弁アクチュエータ組立体。
【請求項９】
前記第一アクチュエータハウジングと第二アクチュエータハウジングとが組付けられたときに両アクチュエータハウジングを確実に係合させるための、一方のアクチュエータハウジングの凹部内に配置されるガスケットを更に有することを特徴とする請求項１記載の弁アクチュエータ組立体。
【請求項１０】
前記弁組立体は成形プラスチックからなることを特徴とする請求項１記載の弁アクチュエータ組立体。
【請求項１１】
前記弁組立体はポリプロピレン、ペルフルオロアルコキシまたはポリフッ化ビニリデンからなることを特徴とする請求項１０記載の弁アクチュエータ組立体。
【請求項１２】
前記第一アクチュエータハウジングと第二アクチュエータハウジングとを連結する１本以上のボルトの組を更に有することを特徴とする請求項１記載の弁アクチュエータ組立体。
【請求項１３】
装着ブラケット基板と、
保持クリップと、
スナップ一体係合で弁を固定する機構とを有することを特徴とする弁装着ブラケット。
【請求項１４】
前記弁を固定する機構は、弁に配置された部材と係合するように配置された、前記装着ブラケットに配置されたスナップウイングを有することを特徴とする請求項１３記載の弁装着ブラケット。
【請求項１５】
１つ以上のねじ孔の組を更に有することを特徴とする請求項１３記載の弁装着ブラケット。
【請求項１６】
前記装着ブラケットは、対応する弁装着板と組合されることを特徴とする請求項１３記載の弁装着ブラケット。
【請求項１７】
前記スナップウイングは、前記弁装着板のウェッジ部分の表面と係合することを特徴とする請求項１４記載の弁装着ブラケット。
【請求項１８】
前記保持クリップは、弁装着板に配置されたタブを第一開口内に受入れることができるように配置されていることを特徴とする請求項１６記載の弁装着ブラケット。
【請求項１９】
前記保持クリップは、前記タブに配置されたガセットを受入れるための第二開口を更に有することを特徴とする請求項１８記載の弁装着ブラケット。
【請求項２０】
前記スナップウイングは、前記弁装着ブラケット基板の頂部に成形されており、前記基板の下面に向かって下方に湾曲し、次に前記基板の切欠部を通って弁装着板に向かって後上方に湾曲することを特徴とする請求項１４記載の弁装着ブラケット。
【請求項２１】
前記ブラケットは成形プラスチックからなることを特徴とする請求項１３記載の弁装着ブラケット。
【請求項２２】
前記弁組立体はポリプロピレン、ペルフルオロアルコキシまたはポリフッ化ビニリデンからなることを特徴とする請求項２１記載の弁装着ブラケット。
【請求項２３】
前記弁装着ブラケット基板は傾斜しており、これにより、装着時に弁を傾斜させることを特徴とする請求項１３記載の弁装着ブラケット。
【請求項２４】
前記弁装着ブラケット基板は約５０°の角度で傾斜していることを特徴とする請求項２３記載の弁装着ブラケット。
【請求項２５】
流れ方向インジケータを更に有することを特徴とする請求項１３記載の弁装着ブラケット。
【請求項２６】
前記ねじ孔は、弁装着板上に配置された１つ以上のねじタブの組と整合していることを特徴とする請求項１５記載の弁装着ブラケット。
【請求項２７】
弁本体に連結できるスナップ一体形アクチュエータを有し、前記弁本体は弁装着ブラケットと係合する弁装着板を更に有することを特徴とする弁装着組立体。
【請求項２８】
前記弁装着板は前記弁本体とは別体であることを特徴とする請求項２７記載の弁装着組立体。
【請求項２９】
前記スナップ一体形アクチュエータは、
第一アクチュエータハウジングと、
該第一アクチュエータハウジングに一体に取付けられる２つ以上のスナップウイングと、
該スナップハウジングを受入れる手段を備えた第二アクチュエータハウジングと、
付勢手段とを有することを特徴とする請求項２７記載の弁装着組立体。
【請求項３０】
前記スナップウイングを受入れる手段はスナップウイングを受入れることができるように配置された１組のスリットを有し、スナップウイングは、第二アクチュエータハウジングを貫通して第二アクチュエータハウジングの下面に対して固定するのに充分な長さを有し、スナップウイングは、該スナップウイングを第二アクチュエータハウジングの下面に対して固定するタブを有することを特徴とする請求項２９記載の弁装着組立体。
【請求項３１】
前記１組のスナップウイングは、１８０°離れた２つのアクチュエータハウジング方向の位置決めができるように配置されかつサイズを有する４つのスナップウイングからなることを特徴とする請求項２９記載の弁装着組立体。
【請求項３２】
前記４つのスナップウイングの組は、２つの異なるサイズ間で変化していることを特徴とする請求項３１記載の弁装着組立体。
【請求項３３】
前記スナップウイングの組は３つのスナップウイングからなり、前記スナップウイングを受入れる前記手段は、スナップウイングを単一のアクチュエータハウジング方向に受入れるための１組の対応スリットを有していることを特徴とする請求項２９記載の弁装着組立体。
【請求項３４】
前記弁装着ブラケットは、
装着ブラケット基板と、
第一切欠部を備えた保持クリップと、
１つ以上のねじ孔の組と、
スナップウイングとを有することを特徴とする請求項２７記載の弁装着組立体。
【請求項３５】
前記スナップウイングは弁装着板のウェッジ部分の表面と係合し、保持クリップは、弁装着板に配置されたタブを前記第一切欠部内に受入れることができるように配置され、前記保持クリップは更に、前記タブに配置されたガセットを受入れる第二切欠部を備えていることを特徴とする請求項３４記載の弁装着組立体。
【請求項３６】
前記弁装着ブラケット基板は傾斜しており、これにより、装着時に弁を傾斜させることを特徴とする請求項３４記載の弁装着組立体。
【請求項３７】
前記弁装着板および弁装着ブラケットに設けられた流れ方向インジケータを更に有することを特徴とする請求項３４記載の弁装着組立体。
【請求項３８】
１つ以上の弁を備えたシステムを組立てる方法において、
前記システムをレイアウトしかつ弁の位置をおおよそ定める段階と、
弁装着ブラケットを、システム内の指定された位置で、流れ方向インジケータにより表示された方向に装着する段階と、
弁装着板を備えた弁を、流れ方向インジケータの方向で前記弁装着ブラケットにスナップ組付けする段階と、
スナップ一体形弁アクチュエータ部分組立体を組立てる段階と、
該弁アクチュエータ部分組立体を前記弁に組付ける段階とを有することを特徴とする組立て方法。
【請求項３９】
スナップ一体係合機構による相互ロック係合で連結される第一アクチュエータハウジングおよび第二アクチュエータハウジングを有することを特徴とする弁アクチュエータ組立体。
【請求項４０】
１つ以上の弁装着ブラケットを流体流れシステムに位置決めする段階と、
弁装着ブラケットを固定する段階と、
弁を、スナップ一体係合機構を介して各弁装着ブラケットに取付ける段階とを有することを特徴とする流体流れシステムを作る方法。
【請求項４１】
前記スナップ一体係合機構は、弁に配置された部材と係合できるように弁装着ブラケットに配置されたスナップウイングを有していることを特徴とする請求項４０記載の方法。
【請求項４２】
補修、メインテナンス、交換、取外しまたは配置替えのために１つ以上の弁付き出口を選択的に取外す段階を更に有することを特徴とする請求項４０記載の方法。
【発明の詳細な説明】
【技術分野】
【０００１】
本発明は、広くは、モジュラアクチュエータ弁および装着構造からなる弁組立体に関し、より詳しくは、弁アクチュエータハウジングのスナップ組立体およびモジュラ弁装着ブラケット組立体に関する。これらの２つの特徴は、個別にまたは結合した態様で使用できる。
【背景技術】
【０００２】
１つ以上の弁を有する流体流れシステムを設計するとき、弁の設置を容易に行なえることが望まれている。システム内での弁の設置は面倒であり、特に設計レイアウトが設置中に変更されるときは尚更である。一般に、従来技術による流体流れシステムは、配管が敷設されるシステムの全体に亘って配置される多数の弁を有している。設計者がシステムを建造するときに、流体流れシステムに変更を加える必要があるときは、設計者はレイアウトを設計し直さなくてはならず、従って弁の位置を移動しなければならない。また、システムが所定位置に設置された後は、一般に、流路を変更し、ラインを付加しまたは減少させ、機器またはポートの位置を変更する等により配管を変更することが望まれる。このような場合には、弁は、取外し、配置替え、または付加されなくてはならない。従来技術では、弁の取外し、付加、または配置替えは面倒なことである。また、特に、弁の設置前または設置中に種々の弁部材の別途組立てを必要とする場合には、弁自体の設置、取外し、または配置替えが困難になる。
【発明の開示】
【発明が解決しようとする課題】
【０００３】
従って、システム内に容易に予備配置できかつ所望に応じまたは必要に応じて移動できる弁装着ブラケットを提供すること、および一旦設置された弁の容易な設置および配置替えができるようにすることが望まれている。また、予備組立態様で保管でき、従って弁の設置を簡単化できる弁アクチュエータを提供することが望まれている。
【課題を解決するための手段】
【０００４】
流体流れシステム内に弁を固定するための弁装着ブラケット。一実施形態では、弁装着ブラケットは、装着ブラケット基板と、保持クリップと、スナップ一体係合で弁を固定する機構とを有している。装着ブラケットに配置されるスナップウイングは、弁に配置された部材とのスナップ一体係合が得られるように配置される。
【０００５】
本発明の他の態様は、スナップ一体係合で固定される弁アクチュエータハウジングである。一実施形態では、スナップ一体形アクチュエータハウジングは、第一アクチュエータハウジングと、該第一アクチュエータハウジングと第二アクチュエータハウジングとの相互ロック組立体を形成するための第一アクチュエータハウジングと関連する機構と、ハウジング内に配置されるアクチュエータとを有している。第一アクチュエータハウジングに配置された１組のスナップウイングは、第一アクチュエータハウジングと第二アクチュエータハウジングとの間に相互ロック組立体を形成すべく配置される。
【０００６】
本発明の他の態様は、流体流れシステムの設計方法である。一実施形態では、弁装着ブラケットは流体流れシステムに配置されかつ該システムに固定される。弁はスナップ一体係合機構を介して各弁装着ブラケットに装着され、スナップウイングは弁装着ブラケットに配置されて、弁に配置された部材と係合する。
【０００７】
一実施形態では、スナップ一体形アクチュエータハウジング、弁装着ブラケット、流体流れシステムの設計方法を一緒に使用して、流体配管システム内に容易に設置、維持、配置替え、交換および補修が可能な弁を形成する。本発明の他の実施形態では、弁装着ブラケット、スナップ一体形アクチュエータハウジング、および流体流れシステムの設計方法が別個に使用されまたは異なる組合せで使用される。
【発明を実施するための最良の形態】
【０００８】
本願の一部に組込まれかつこれを構成する添付図面には本発明の実施形態が示されており、添付図面は、上記本発明の全体的説明および下記詳細な説明と共に、本発明の原理を示す働きを有する。
【０００９】
図１を参照すると、全体を参照番号１０で示す本発明による弁組立体は、弁本体２０と、アクチュエータ組立体３０と、弁装着ブラケット４０とを有している。弁本体２０は、当業者に知られている任意数の弁で構成できる。本発明を例示するのに使用される図面には、全体としてラジアルダイアフラム弁が示されているが、当業者ならば、種々の弁本体形式および構造に本発明を組込むことができることを気付きかつ理解できよう。
【００１０】
本発明の一態様によれば、アクチュエータハウジングは相互ロックスナップ機構により固定される。一実施形態では、アクチュエータ組立体３０はスナップ一体形組立体であり、該スナップ一体形組立体は、下ハウジング３２ａと、上ハウジング３２ｂと、これらの上・下ハウジング３２ａ、３２ｂのスナップ組立体を相互ロックする機構とからなる。例示の実施形態では、この機構は２つ以上のスナップウイング３４の形態に実現され、図３に示す実施形態ではこのような４つのスナップウイング３４ａ、３４ｂ、３４ｃ、３４ｄが示されている。アクチュエータ組立体は更に、付勢手段（actuating means）３５を有している。
【００１１】
上ハウジング３２ｂは、上面３６と、下面３７と、側面３８とを有している。上面３６には、ボルト４１を受入れるための１組の貫通ボルト孔を有し、ボルト４１は、弁およびアクチュエータを設置するとき、上ハウジング３２ｂを下ハウジング３２ａに固定し、かつアクチュエータハウジング３２を弁本発明２０および装着板４２に固定する。スナップウイング３４は、ボルトが締付けられるまで上ハウジング３２ｂと下ハウジング３２ａとを固定し、締付け後は、スナップウイング３４に作用する圧力はボルト４１により緩和される。
【００１２】
アクチュエータハウジング３２は１つ以上のポート４４を有し、これらのポート４４は一般にアクチュエータハウジングの側面に沿って配置されている。ポート４４は、更に詳細に後述するように、付勢手段３５にアクセスしかつ該付勢手段と相互作用するためのものである。図３に示す実施形態では、ポート４４は、アクチュエータハウジング３２の各半部の側面に１つずつ配置された２つの空気入口として示されており、付勢手段３５として機能するシリンダピストン４８を備えたチャンバに流体連通している。ポート４４は、多くの形状、サイズおよび構造にすることができる。例えば、図３に示したポート４４は、空気供給ラインを受入れるための隆起部を備えた円形をなしている。また、図３のポート４４は、供給ラインに適合できるように互い違いに配置される。当業者ならば、これらのポートを一直線上に配置するか、より一層離して配置できること、および供給ラインのサイズ、位置および形式および弁構造に基いて、多くの異なる形状およびサイズにできることが理解されよう。更に、詳細に後述するように、ポートは、供給ラインの位置に適合できるようにアクチュエータハウジングの対向側面または隣接側面に配置することもできる。
【００１３】
スナップウイング３４は、上ハウジング３２ｂの下面から突出したプラスチックタブであり、下ハウジング３２ａに形成されたスリット４６内に受入れられる。一実施形態では、スナップウイング３４は上ハウジング３２ｂと一体の成形プラスチックタブであるが、当業者ならば、スナップウイング３４を機械加工により形成しおよび／または上ハウジングとは一体化しないことは理解されよう。また、一実施形態では、スリット４６は下ハウジング３２ａに成形加工されているが、機械加工により形成することもできる。スナップウイングはアクチュエータハウジング３２と同じ材料、例えばポリプロピレン、ペルフルオロアルコキシまたはポリフッ化ビニリデンまたは適当な種々の材料で作ることができる。スナップウイング３４は全体として平坦であるが、端部５１に沿って隆起部５０が設けられている。
【００１４】
上ハウジング３２ｂが下ハウジング３２ａと一体化されるとき、スナップウイング３４が下ハウジング３２ａのスリット４６に整合されかつ該スリット内に受入れられる。スナップウイング３４はアクチュエータハウジングの側面に向かって外方に傾斜しており、スナップウイングの挿入時に、該スナップウイングと対応スリット４６の内壁５２とが接触するように構成されている。スナップウイング３４が対応スリット４６内に更に挿入されると、隆起部５０が前記内壁５２に接触し、スナップウイング３４が内方に撓む。隆起部５０がひとたび表面５５に到達しかつスナップウイング３４がアクチュエータハウジングの側面に向かって外方にスナップすると、隆起部５０が表面５５に対して固定され、両ハウジング部分を一体にロックする。図６に示す実施形態では、スナップウイング３４の端部５１と該端部に配置された隆起部５０とがべべル状縁部５６により連結されており、スナップウイング３４の挿入が容易に行なえるようになっている。スナップウイング３４は、上ハウジング３２ｂと下ハウジング３２ａとが接触したときに、隆起部５０が表面５５に当接または近接するサイズに定められる。一実施形態では、スナップウイング３４は下ハウジング３２ａ内に完全に包囲されてしまい、従ってアクチュエータハウジングの永久組立体が形成される。下アクチュエータハウジング３２ａの一部に、スナップウイング３４の隆起部５０へのアクセスを行なう切欠部を設けることにより、アクチュエータハウジングの分解を行なうことができることに留意されたい。上ハウジング３２ｂの凹部５９に沿って適当なガスケットまたは他のシール５８が配置され、表面６０での下ハウジング３２ａに対するシールを形成する。スナップウイングの長さはアクチュエータハウジングの厚さに基いて変えることができるが、スナップウイングが長いほど、可撓性は高くなる。
【００１５】
図面には４つのスナップウイングが示されているが、当業者ならば、これより多数または少数のスナップウイングを使用できることが理解されよう。スナップウイングの個数および強度は、アクチュエータハウジング部分を一体に固定できれば充分である。アクチュエータハウジング部分を一体に固定するには、スナップウイングは、特定用途でハウジングに加えられる任意の予測対向力に対し、スナップウイングの相互ロック係合を維持すべきである。例えば図５に示すように、アクチュエータピストン４８に対抗する力を付与するのに、スプリング６２が使用される。このような力は、大部分がアクチュエータハウジングに伝達され、従ってアクチュエータハウジング部分を一体に固定するには打ち消されなくてはならない。また、スナップウイングの強度を高めて、空気圧がアクチュエータに付与されたときにアクチュエータが一体に維持されるようにすることが望まれる。
【００１６】
スナップウイングは、該スナップウイングのサイズ、位置および個数を調節することにより、１−ウェイ組立体、２−ウェイ組立体または４−ウェイ組立体が得られるように構成できる。例えば、組立体の所要方向または所定方向を選定するため、大きいウイングと小さいウイングとを所与の組合せで使用できる。また、スナップウイングを一方側にオフセットすることにより、組立体の方向性を更に高めることができる。図３に示す実施形態では、大きいウイングのオフセットが補完的でかつ小さいウイングのオフセットが補完的になる１つおきの態様で、小さいウイングと大きいウイングとが配置されている。このスナップウイング配置は、アクチュエータハウジングを、互いに１８０°回転させた２つの異なる方向に組立てることを可能にする。これにより、アクチュエータ供給ラインを、設置者の自由裁量で、アクチュエータハウジングの同じ側または反対側に配置することが可能になる。スナップウイングの１つをその対応スリットと一緒に除去するか、またはスナップウイングを同じ側（図３に示すような反対側ではない）にオフセットさせるものとすると、アクチュエータハウジングは、単一方向でスナップ一体化できるに過ぎなくなる。或いは、全てのスナップウイングが、同じオフセットで同じ側に配置される場合には、アクチュエータハウジングを、互いに９０°隔たった４つの方向のうちのいずれか１つの方向に組立てることができる。
【００１７】
弁にアクチュエータを組付けるとき、アクチュエータはスナップ一体化されて、予備組立ユニットとして保管でき、これによりアクチュエータをユニットとして設置できる。ボルト４０は、アクチュエータ組立体を弁本体２０および装着板４２に固定するのに使用される。ボルト４０が締付けられると、スプリング６２からのばね力がスナップウイング３４から除去され、ボルト４０間で分散される。次に、装着板４２を、弁装着ブラケット４０上の所定位置にスナップ一体化できる。
【００１８】
弁装着ブラケット４０は、装着板４２と組合せてこれを固定し、これにより弁２０およびアクチュエータ組立体３０を所定位置に固定するように設計された、成形または機械加工されたプラスチック部材である。図面では装着ブラケット４０が全体として矩形のユニットとして示されているが、当業者ならば、ブラケット４０を異なる形状の弁および弁装着板に適合させるべく改変する方法は明白であろう。装着ブラケット４０は、ポリプロピレン、ペルフルオロアルコキシまたはポリフッ化ビニリデンを含む任意の適当な成形材料で作ることができる。
【００１９】
弁装着ブラケット４０は、基板７０と、保持クリップ７２と、スナップウイング７４とを有している。基板７０は、装着板４２に一致または適合するように全体として矩形の形状を有するが、他の幾何学的形状にすることもできる。装着ブラケット４０に強度および耐久性を付与するため、基板７０の上面７８から上方に立上る支持側壁７６を付加することができる。一実施形態では、側壁７６がブラケット４０の全周に亘って連続しているものではなく、一般にブラケットの中央部に切欠部分を有している。このような実施形態は、装着板４２の相手としての適合性を付与しかつ弁の入口ポート７７ａ、７７ｂへのそれぞれのアクセスを容易にする機能を有している。
【００２０】
基板７０の上面７８は、ブラケットを装着するための１組のねじ孔を有している。図６〜図８に示した実施形態では、２つのねじタブ８２が装着板４２に設けられており、ブラケットを用いて弁を固定できるようになっている。他の実施形態では３つ以上のねじタブ８２が設けられる。一実施形態では、流れ方向インジケータ８５が装着ブラケット４０に設けられており、該インジケータは、弁を通る流れ方向従って適正設置方向を表示する。図６〜図８の実施形態では、流れ方向インジケータ８５は装着ブラケット４０の上面７８に付された矢印であり、組立て時に、弁方向インジケータ８７により表示されたものと同じ流れ方向を向く。
【００２１】
装着ブラケット４０の上面７８の第一側部８８には保持クリップ７２が形成されている。保持クリップ７２の後部９２には、装着板４２に設けられたタブ９４と係合しかつこれを保持するための開口９０が設けられている。一実施形態では、タブ９４は、これを補強しかつ支持するガセット９６を有している。このような実施形態では、保持クリップ７２は、この上面９８に沿う切欠部９６を有し、タブ９４の挿入および抜去を容易にしている。
【００２２】
スナップウイング７４は装着ブラケット４０の上面７８から突出した成形プラスチックタブであり、装着板４２の一側面に設けられたウェッジ１００内に受入れられる。スナップウイング７４は全体として平坦であり、この上端部１０４にはフック１０２が設けられている。該フック１０２は、弁が固定位置に移動されるとウェッジ１００の頂隆起部１０６に沿って該頂隆起部１０６上に載る。スナップウイング７４は種々のサイズにすることができるが、スナップウイングが長いほど可撓性が大きく、従ってスナップウイングを一層容易に解放させることが可能になる。かくして、一実施形態では、スナップウイング７４は装着ブラケットの上面７８に沿ってその源を発し、かつ装着ブラケット４０の開口１０８を通って弁組立体に向かって後上方に湾曲する前に、装着ブラケットの底に向かって下方に湾曲している。
【００２３】
図６〜図８に示すように、弁本体２０および装着板４２を弁装着ブラケット４０に装着するには、弁本体および装着ブラケットが、保持クリップ７２に向かって或る角度でかつそれぞれの流れ方向インジケータ８５、８７により示された方向で、装着ブラケットの方向に近付けられる。タブ９４が保持クリップ７２内に挿入され、次に弁本体の他方の側部が装着ブラケット４０の方向に近付けられる。スナップウイング７４は、フック１０２がウェッジ１００の頂隆起部１０６に対して固定されるまで、ウェッジ１００に沿って摺動する。スナップウイング７４およびウェッジ１００のサイズは、フック１０２がウェッジ１００の頂隆起部に対して固定されるときに、装着板４２の下面が弁装着ブラケット４０の上面７８に対して実質的に平らに載るように定めるべきである。
【００２４】
上記弁装着ブラケット４０は、種々の手動弁および空気圧弁と組合せて使用できる。図９Ａ〜図９Ｃに示す実施形態では、装着ブラケット４０’は、弁を或る角度で装着されるように構成されている。このような装着方向に適合させるため、装着ブラケットの下面１０９は、より長い装着ブラケットの側面１１０を設けることにより傾斜が付されている。弁を或る角度で装着することができるため、ここに開示する装着ブラケットは種々の堰弁（weir valves）に使用できる。図示の例では、角度αは、一般に堰弁のドレンを行なうのに最適の約５０°の角度である。当業者ならば、装着ブラケットの側面１０９の長さを変えることにより他の所望角度が得られることは理解されよう。
【００２５】
弁装着ブラケット４０は、スナップ組立形弁アクチュエータ３０と組合せて、または装着ブラケット４０自体で使用して、流体流れシステムの設計、改変および補修方法に使用できる。弁装着ブラケット４０は容易に設置できかつ流体流れシステム内の種々の位置に連続的に移動でき、新しいシステムの設計および既存のシステムの改変も比較的容易に行なうことができる。設計者は、ラインを付加し、ラインを除去し、流路を変更し、またはシステムの配管を変更するのに、既存の構造を迂回して流体流れシステムを設計しおよび／または流体流れシステムを改変することを頻繁に行なわなくてはならないため、このことは重要である。また、弁装着ブラケット４０を使用すると、システムから弁を容易に取外すことができる。これにより、弁を取外し、付加し、配管替えし、または交換または補修のために取外すときに時間およびコストを節約できる。弁装着ブラケット４０とスナップ組立形弁アクチュエータ３０とを組合せることにより、流体流れシステムの組立が更に容易になる。
【００２６】
以上、弁の装着ブラケットについてここに説明したが、当業者ならば、本発明のブラケットを他の器具の固定にも使用できることは理解されよう。例えば、装着ブラケットは、マニホルド、流量測定器具または流体流れシステムの他の器具を固定するように設計できる。
【００２７】
本発明を或る好ましい実施形態に関して開示しかつ説明したが、当業者ならば、本願明細書を読むことにより或る変更を行なうことができよう。本発明の範囲は特許請求の範囲およびその均等物により定められるものであるが、このようなあらゆる変更は、本発明の範囲内に包含されるものである。従って、本件出願人の広い発明概念の精神または範囲から逸脱することなく、このような細部から新開発を行なうことができる。
【図面の簡単な説明】
【００２８】
【図１】本発明の弁組立体を示す斜視図である。
【図２】本発明の弁組立体を示す分解図である。
【図３】スナップ一体形弁アクチュエータ組立体を示す斜視図である。
【図４】スナップ一体形弁アクチュエータ組立体を示す断面図である。
【図５】スナップ一体形弁アクチュエータ組立体を示す断面図である。
【図６】係合する前の弁装着ブラケットおよび弁組立体を示す図面である。
【図７】部分的に係合した弁装着ブラケットおよび弁組立体を示す図面である。
【図８】相互ロックした状態の弁装着ブラケットおよび弁組立体を示す図面である。
【図９Ａ】弁装着ブラケットの他の実施形態を示す斜視図である。
【図９Ｂ】図９Ａに示した弁装着ブラケットを示す平面図である。
【図９Ｃ】図９ＢのＡ−Ａ線に沿う断面図である。
【符号の説明】
【００２９】
１０  弁組立体
２０  弁本体
３０  アクチュエータ組立体
３４ａ、３４ｂ、３４ｃ、３４ｄ  スナップウイング
４０  弁装着組立体
４２  装着板
４８  シリンダピストン
７２  保持クリップ
７４  スナップウイング
【国際公開パンフレット】
2004526919.tif 000002
2004526919.tif 000003
2004526919.tif 000004
2004526919.tif 000005
2004526919.tif 000006
2004526919.tif 000007
2004526919.tif 000008
2004526919.tif 000009
2004526919.tif 000010
2004526919.tif 000011
2004526919.tif 000012
2004526919.tif 000013
2004526919.tif 000014
2004526919.tif 000015
2004526919.tif 000016
2004526919.tif 000017
2004526919.tif 000018
2004526919.tif 000019
2004526919.tif 000020
2004526919.tif 000021
2004526919.tif 000022
2004526919.tif 000023
【国際調査報告】
2004526919.tif 000024
2004526919.tif 000025
2004526919.tif 000026